(57)【要約】【課題】液晶表示器の表示濃度の設定値と標準値とのずれ量を容易に把握することができる電子機器を提供する。【解決手段】液晶表示器を用いた表示部４と、表示部４の表示濃度を設定するコントラストキー（濃度設定手段）２０を有する操作部５と、表示濃度のデフォルト値（標準値）を記憶するＲＯＭ６と、コントラストキー２０で設定した濃度設定値を記憶するＲＡＭ７と、濃度設定値に応じて表示部４の表示濃度を変更する制御部１とを備えた電子機器において、濃度設定を行う場合、制御部１により、濃度設定値及びデフォルト値をＲＡＭ７及びＲＯＭ６から取得して表示部４に表示する。【選択図】　　　　図１
2004012911.tif 000002
【特許請求の範囲】
【請求項１】
液晶表示器と、該液晶表示器の表示部の表示濃度を設定する濃度設定手段とを備え、濃度設定手段で設定した設定値に応じて前記表示部の表示濃度を変更する電子機器において、
表示濃度の標準値を記憶する標準値記憶部と、
表示濃度の設定値及び標準値を表示する濃度設定表示部と、
表示濃度を設定する場合、表示濃度の設定値及び標準値を取得して濃度設定表示部に表示し、設定値が変更されたときは変更後の設定値を表示する表示制御手段と
を備えることを特徴とする電子機器。
【請求項２】
濃度設定手段で設定することが可能な設定値は、設定単位値を整数倍した値であり、
設定単位値に対応する画像を記憶する画像記憶部を備え、
表示制御手段は、表示濃度の設定値に応じた数の前記画像を、濃度設定表示部に表示すべくなしてあることを特徴とする請求項１記載の電子機器。
【請求項３】
濃度設定表示部は、液晶表示器の表示部に含まれることを特徴とする請求項１又は２記載の電子機器。
【発明の詳細な説明】
【０００１】
【発明の属する技術分野】
本発明は、液晶表示器を備え、液晶表示器の表示濃度の調整が可能な電子機器に関する。
【０００２】
【従来の技術】
液晶表示器（ＬＣＤ：Ｌｉｑｕｉｄ　Ｃｒｙｓｔａｌ　Ｄｉｓｐｌａｙ）は、様々な電子機器に搭載され、文字又は画像等の表示に使用されている。これら電子機器には、液晶表示器の表示濃度を調整するコントラストキー等の濃度調整手段が設けられている場合が多い。表示濃度を調整することにより、文字と文字の背景とのコントラストを高め、視認性を向上させることができる。
【０００３】
【発明が解決しようとする課題】
しかし、液晶表示器は、見る角度又は周囲の明るさ等によって視認性が変動し易いため、表示濃度を調整する機会が多い。このように表示濃度を何度も調整していると、デフォルト値（標準値）が分からなくなるという問題が生じる。表示濃度の調整は、デフォルト値から徐々に濃度を濃くする又は薄くする場合は比較的容易に調整できる。しかし、デフォルト値が分からずに濃度を濃くする又は薄くする場合、濃度を濃くしすぎて表示画面が真っ黒になる又は濃度を薄くしすぎて表示画面が真っ白になる等の不具合が生じることがある。
【０００４】
本発明は斯かる事情に鑑みてなされたものであり、表示濃度の設定値と標準値とのずれ量を容易に把握することができる電子機器を提供することを目的とする。
【０００５】
また、本発明は、表示濃度の設定値を視覚的に把握することができる電子機器を提供することを他の目的とする。
【０００６】
また、本発明は、表示部及び操作部を含んだ操作パネルを小型化することができる電子機器を提供することを他の目的とする。
【０００７】
【課題を解決するための手段】
第１発明に係る電子機器は、液晶表示器と、該液晶表示器の表示部の表示濃度を設定する濃度設定手段とを備え、濃度設定手段で設定した設定値に応じて前記表示部の表示濃度を変更する電子機器において、表示濃度の標準値を記憶する標準値記憶部と、表示濃度の設定値及び標準値を表示する濃度設定表示部と、表示濃度を設定する場合、表示濃度の設定値及び標準値を取得して濃度設定表示部に表示し、設定値が変更されたときは変更後の設定値を表示する表示制御手段とを備えることを特徴とする。
【０００８】
このような電子機器は、標準値記憶部に、表示濃度の標準値が記憶されており、表示制御手段により、表示濃度の設定値に加えて前記標準値を取得して濃度設定表示部に表示し、設定値が変更されたときは変更後の設定値を表示する。濃度設定表示部は、例えば設定値及び標準値を表示する液晶表示器を新たに追加することが可能である。設定値の表示は、例えば、設定値が標準値と等しい場合をゼロで表し、表示濃度が標準値より大きい場合を「＋Ｎ」、小さい場合を「−Ｎ」で表すことが可能である。ここで、Ｎは整数であり、標準値との差を表す。
【０００９】
第２発明に係る電子機器は、第１発明において、濃度設定手段で設定することが可能な設定値は、設定単位値を整数倍した値であり、設定単位値に対応する画像を記憶する画像記憶部を備え、表示制御手段は、表示濃度の設定値に応じた数の前記画像を、濃度設定表示部に表示すべくなしてあることを特徴とする。
【００１０】
このような電子機器は、表示制御手段により、設定値に応じた数の画像が、濃度設定表示部に表示される。例えば、設定値が１〜３０まで設定可能な場合、１〜３０個の長方形を棒グラフ状に並べて、設定値（１〜３０）を表示する。長方形を棒グラフ状に並べることにより、操作者は、現在の設定値と最小値（最も薄い）及び最大値（最も濃い）との関係を視覚的に把握することができる。
【００１１】
第３発明に係る電子機器は、第１又は第２発明において、濃度設定表示部は、液晶表示器の表示部に含まれることを特徴とする。
【００１２】
このような電子機器は、濃度設定表示部は、液晶表示器の表示部に含まれている。例えば、液晶表示器の表示画面（表示部）内に、濃度設定画面（濃度設定表示部）を表示する。濃度設定画面は、通常の状態では表示部に表示せず、濃度設定を行う場合（濃度設定操作を行った場合）のみ、表示制御手段によって表示部に表示することが可能である。
【００１３】
【発明の実施の形態】
以下、本発明をその実施の形態を示す図面に基づいて具体的に説明する。
本説明においては、液晶表示器を備えた電子機器として、ファクシミリ装置を例にして説明を行う。ファクシミリ装置は、複写機の機能を備えており、ファックスの送受信及び原稿のコピーが行える。
【００１４】
（第１の実施の形態）
図１に本発明に係る液晶表示器を備えたファクシミリ装置（電子機器）の例を示す。ファクシミリ装置は、制御部（ＣＰＵ：Ｃｅｎｔｒａｌ　Ｐｒｏｃｅｓｓｉｎｇ　Ｕｎｉｔ）１、原稿を読取る読取部２、ファクシミリの受信画像又は読取部２で読取った原稿画像を用紙に記録する記録部３、ファクシミリ装置の動作状態又は操作部５から入力された文字等を表示する表示部（液晶表示器）４、ファクシミリ装置の操作に使用する各種キーを備える操作部５、ファクシミリ装置の動作に必要な種々のプログラム及びデータが記憶されるＲＯＭ（Ｒｅａｄ　Ｏｎｌｙ　Ｍｅｍｏｒｙ）６、プログラムの実行時に発生する一時的なデータ等を記憶するＲＡＭ（Ｒａｎｄｏｍ　Ａｃｃｅｓｓ　Ｍｅｍｏｒｙ）７、読取部２で読取った原稿画像又はファクシミリの受信画像等を記憶する画像メモリ８、ファクシミリ通信が可能なモデム（ファックスモデム）９、公衆電話回線網とアナログ回線Ｌとの閉結及び開放を制御するＮＣＵ（Ｎｅｔｗｏｒｋ　Ｃｏｎｔｒｏｌ　Ｕｎｉｔ）１０、画像データを符号化又は復号化するＣＯＤＥＣ１１、記録部３に供給する用紙が収容される用紙収容部１３を備える。
【００１５】
上述したハードウェア各部（１〜１１、１３）は、バス１２に接続されており、制御部１によって制御される。制御部１は、ＲＯＭ６に記憶されたコンピュータプログラムを読出して、種々の機能を実行する。
【００１６】
操作部５は、例えば図１に示すように、コントラストキー２０、スタートキー２２、クリアキー２４、メニューキー２６、選択キー２８等を備える。表示部４及び操作部５を含む操作パネルの例を図２に示す。図２の例では、３個の選択キー２８ａ，２８ｂ，２８ｃが設けられている。
【００１７】
スタートキー２２は、ファックスの送信又はコピーの開始等に使用するキーである。クリアキー２４は、実行中の処理の中止又は設定のクリア等に使用するキーである。メニューキー２６は、設定項目の表示及び表示する設定項目の変更等に使用するキーである。選択キー２８は、設定項目内の各設定の選択等に使用するキーである。ここで、表示部４をタッチパネル方式とすることにより、操作部５の各種キーの一部または全部を代用することも可能である。
【００１８】
コントラストキー２０は、表示部（液晶表示器）４の表示濃度を設定する手段（濃度設定手段）として動作するキーである。表示濃度の設定値（濃度設定値）は、制御部１により、ＲＡＭ７に記憶される。制御部１は、コントラストキー２０で設定した濃度設定値に応じて表示部４の表示濃度を変更するように、表示部（液晶表示器）４の駆動回路４ｄのコントラスト電圧（印加電圧）を制御する。
【００１９】
ＲＯＭ６には、液晶表示器の表示濃度のデフォルト値（標準値）が記憶されている。表示部４は、濃度設定値及びデフォルト値を表示する濃度設定表示部として動作する。制御部１は、コントラストキー２０が押下された場合に、濃度設定値及びデフォルト値を取得して、図２に示すように、濃度設定画面４ａを表示部４に表示する手段（表示制御手段）として動作する。
【００２０】
また、ＲＯＭ６には濃度設定値の最大値及び最小値が記憶され、ＲＡＭ７には、コントラストキー２０の押下時に濃度設定値を増加させるか、または減少させるかを表すモード状態が記憶される。制御部１は、濃度設定値が最大値に達した場合はモード状態を「ダウンモード（減少）」に設定し、濃度設定値が最小値に達した場合は「アップモード（増加）」に設定する。
【００２１】
濃度設定値は、図２に示すように、長方形型の画像を並べて棒グラフ状に表示されている。制御部１は、濃度設定値に応じた数の長方形型の画像を、濃度設定画面４ａに表示する。長方形型の画像はＲＯＭ６に記憶されている。
【００２２】
次に、本発明に係る電子機器を用いた表示部４の濃度調整について説明する。濃度設定手順の例を図３に示す。コントラストキー２０の押下（Ｓ１０）を検出した制御部１は、ＲＡＭ７から濃度設定値を取得し（Ｓ１２）、また、ＲＯＭ６からデフォルト値を取得して、図２に示すように、表示部４に濃度設定画面４ａを表示する（Ｓ１４）。また、制御部１は、濃度設定画面４ａを表示したときから内蔵タイマをスタートさせる（Ｓ１６）。タイマをスタートさせてから所定時間キー操作が無い場合（Ｓ１８：ＮＯ、Ｓ２４：ＹＥＳ）、制御部１は、濃度表示画面４ａの表示を中止する（Ｓ２６）。
【００２３】
また、タイマをスタートさせてから所定時間以内（Ｓ２４：ＮＯ）に、クリアキー２４が操作された場合（Ｓ１８：ＹＥＳ、Ｓ２０：ＹＥＳ）またはコントラストキー２０以外のキーが操作された場合（Ｓ１８：ＹＥＳ、Ｓ２０：ＮＯ、Ｓ２２：ＮＯ）、制御部１は、濃度表示画面４ａの表示を中止する（Ｓ２６）。
【００２４】
タイマをスタートさせてから所定時間以内（Ｓ２４：ＮＯ）に、コントラストキー２０が操作された場合（Ｓ１８：ＹＥＳ、Ｓ２０：ＮＯ、Ｓ２２：ＹＥＳ）、制御部１は、ＲＡＭ７に記憶されているモード状態を参照し、アップモードの場合（Ｓ２８：ＹＥＳ）は、濃度設定値を１増加させ（Ｓ３０）、ダウンモードの場合（Ｓ２８：ＮＯ）は、濃度設定値を１減少させる（Ｓ３６）。
【００２５】
制御部１は、ＲＯＭ６に記憶されている最大値及び最小値を読出して、濃度設定値と比較する。制御部１は、濃度設定値が最大値に達している場合（Ｓ３２：ＹＥＳ）、モード状態をダウンモードに設定し（Ｓ３４）、濃度設定値が最小値に達している場合（Ｓ３８：ＹＥＳ）、モード状態をアップモードに設定する（Ｓ４０）。濃度設定値が最大値又は最小値に達していない場合（Ｓ３２：ＮＯ、Ｓ３８：ＮＯ）またはモード状態の設定（Ｓ３４、Ｓ４０）後、内蔵タイマを再度スタートさせ（Ｓ１６）、同様の処理（Ｓ１８〜Ｓ４０）を行う。
【００２６】
（第２の実施の形態）
第１の実施の形態では、操作部５にコントラストキー２０を設けているが、表示部４にコントラストの設定メニューを表示し、選択キー２８の操作でコントラストを設定することも可能である。選択キー２８でコントラストを設定するファクシミリ装置（電子機器）の例を図４に示す。
【００２７】
ファクシミリ装置は、第１の実施の形態と同様に、制御部１、読取部２、記録部３、表示部（液晶表示器）４、操作部５、ＲＯＭ６、ＲＡＭ７、画像メモリ８、モデム９、ＮＣＵ１０、ＣＯＤＥＣ１１、用紙収容部１３を備える。操作部５は、スタートキー２２、クリアキー２４、メニューキー２６、選択キー２８（２８ａ，２８ｂ，２８ｃ）等を備える。ＲＡＭ７には濃度設定値が記憶され、ＲＯＭ６には濃度設定値のデフォルト値（標準値）、最大値及び最小値が記憶されている。
【００２８】
濃度設定画面の例を図５に示す。濃度設定画面４ａは、表示部４に表示されている。図５の例では、濃度設定値の対応する部分のみに１つの長方形型の画像が表示されている。選択キー２８ａ，２８ｂ，２８ｃを押下した場合、制御部１により、夫々濃度設定値が１減少，デフォルト値にリセット，１増加される。
【００２９】
濃度設定手順の例を図６に示す。メニューキー２６、選択キー２８の操作によって濃度設定が選択（Ｓ１１）されたことを検出した制御部１は、第１の実施の形態（図３）と同様にして、濃度設定画面の表示処理（Ｓ１２、Ｓ１４）、キーの操作に応じた処理（Ｓ１６〜２６）を行う。ただし、本実施の形態においては、コントラストキー（アップキー）として動作する選択キー２８ｃが操作された場合（Ｓ２９：ＹＥＳ）、制御部１は、濃度設定値を１増加させる（Ｓ３０）。また、コントラストキー（ダウンキー）として動作する選択キー２８ａが操作された場合（Ｓ２９：ＮＯ）、制御部１は、濃度設定値を１減少させる（Ｓ３６）。
【００３０】
濃度設定値を増加させて最大値に達した場合は、最小値に設定してそのまま濃度設定値を増加させ、濃度設定値を減少させて最小値に達した場合は、最大値に設定してそのまま濃度設定値を減少させる。また、図示していないが、選択キー２８ｂが操作された場合は、制御部１により、濃度設定値をデフォルト値に設定する。
【００３１】
（第３の実施の形態）
第１及び第２の実施の形態では、表示部４に濃度設定画面４ａを表示したが、濃度設定値及びデフォルト値を、他の表示装置に表示することも可能である。表示部４とは別の表示装置に濃度設置値及びデフォルト値（標準値）を表示するファクシミリ装置（電子機器）の例を図７に示す。
【００３２】
ファクシミリ装置は、第１の実施の形態と同様に、制御部１、読取部２、記録部３、表示部（液晶表示器）４、操作部５、ＲＯＭ６、ＲＡＭ７、画像メモリ８、モデム９、ＮＣＵ１０、ＣＯＤＥＣ１１、用紙収容部１３を備える。
【００３３】
また、ファクシミリ装置は、図７及び図８に示すように、濃度設定値及びデフォルト値を表示する液晶表示器（濃度設定表示部）１４を備える。濃度設定表示部１４には、第１の実施の形態で説明した濃度設定画面４ａ（図２）と同様の濃度設定画面が表示される。濃度設定表示部１４の表示濃度は、制御部１によって、例えば標準値等の一定値に保たれる。
【００３４】
制御部１は、コントラストキー２０が操作された場合、第１の実施の形態と同様に、表示部（液晶表示器）４の駆動回路４ｄのコントラスト電圧を調整して表示濃度を変更するが、濃度設定表示部（液晶表示器）１４の駆動回路１４ｄのコントラスト電圧は一定に保ち、表示濃度の変更は行わない。
【００３５】
濃度設定表示部１４の表示濃度は一定であるため、濃度調整によって表示部４が真っ黒又は真っ白になった場合であっても、濃度設定表示部１４は通常通り表示されており、何の問題も無く濃度調整を続行することができる。
【００３６】
上述した実施の形態においては、濃度設定値を例えば長方形型の図形で表示しているが、任意の図形を用いることができる。また、例えば、図９（ａ）〜（ｃ）に示すように、数値で表示することも可能である。例えば、濃度設定値がデフォルト値と等しい場合をゼロとし、濃度を濃くした場合は「＋Ｎ」、濃度を薄くした場合は「−Ｎ」を表示する。ここで、Ｎは整数であり、デフォルト値との差を表している。
【００３７】
また、濃度設定画面４ａ又は濃度設定表示部１４の表示は、濃度設定を行う場合のみ表示すればよい。例えば、通常の状態（濃度設定を行わない状態）では、濃度設定画面４ａ又は濃度設定表示部１４の表示を行わず、コントラストキー２０の操作、またはメニューキー２６及び選択キー２８の操作によって、濃度設定画面の表示が指示された場合に、制御部１により、濃度設定画面４ａ又は濃度設定表示部１４を表示する。
【００３８】
節電モードの場合等は、コントラストキー２０等の操作によって、表示部４（濃度設定画面４ａを表示）又は濃度設定表示部１４をオンにすることも可能である。この場合、表示濃度を設定しないときは、濃度設定表示部１４をオフにして節電することができる。また、コントラストキー２０等の操作によって、濃度設定画面４ａが表示されていない表示部４に、濃度設定画面４ａを表示することも可能である。この場合、表示濃度を設定しないときは、濃度設定画面４ａの表示を中止して、表示部４を有効に使用することができる。
【００３９】
【発明の効果】
第１発明によれば、濃度設定表示部に表示濃度の設定値及び標準値が表示されているため、表示濃度の設定値と標準値とのずれ量を容易に把握することができる。
【００４０】
第２発明によれば、濃度設定表示部に、設定値に応じた数の画像が表示されるため、現在の表示濃度を視覚的に把握することができる。
【００４１】
第３発明によれば、液晶表示器の表示部に濃度設定表示部を含ませることにより、濃度設定表示部用の液晶表示器を設ける必要が無くなり、表示部及び操作部を含んだ操作パネルを小型化することができる。また、２つの液晶表示器を夫々駆動制御する必要が無いため、駆動回路を含む全体の回路構成が複雑にならずに済む。
【図面の簡単な説明】
【図１】本発明に係る電子機器を有するファクシミリ装置の例を示すブロック図である。
【図２】濃度設定画面の例を示す図である。
【図３】濃度設定手順の例を示すフローチャートである。
【図４】本発明に係る電子機器を有するファクシミリ装置の他の例を示すブロック図である。
【図５】濃度設定画面の他の例を示す図である。
【図６】濃度設定手順の他の例を示すフローチャートである。
【図７】本発明に係る電子機器を有するファクシミリ装置の更に他の例を示すブロック図である。
【図８】濃度設定画面の更に他の例を示す図である。
【図９】濃度設定画面の更に他の例を示す図である。
【符号の説明】
１　制御部（表示制御手段）
４　表示部（液晶表示器）
４ａ　濃度設定画面（濃度設定表示部）
５　操作部（濃度設定手段）
６　ＲＯＭ（標準値記憶部、画像記憶部）
１４　濃度設定表示部
【図１】
2004012911.tif 000003
【図２】
2004012911.tif 000004
【図３】
2004012911.tif 000005
【図４】
2004012911.tif 000006
【図５】
2004012911.tif 000007
【図６】
2004012911.tif 000008
【図７】
2004012911.tif 000009
【図８】
2004012911.tif 000010
【図９】
2004012911.tif 000011